(57)【要約】      （修正有）【課題】３レーザービーム方式の光ピックアップ装置において、回折格子の調整をより精度よく行え、且つ作業者の作業負荷を低くする。【解決手段】ＤＶＤのトラックピッチと比べてトラックピッチが大きい第１領域を持つ調整用ディスクにメインビームと、サブビームとを照射し（Ｓ１、Ｓ２）、メインビームにおける第１領域からの再生光を第１受光部で受光して得た出力信号と、いずれかのサブビームにおける第１領域からの再生光を第２受光部で受光して得た出力信号と、を取得する第１の受光ステップと、第１受光部からの出力信号と、第２受光部からの出力信号との位相差の変動をもとに、回折格子の位置を調整する第１の調整ステップ（Ｓ３）と、を有する。【選択図】図５
2015144029.tif 000002
【特許請求の範囲】
【請求項１】
光源から照射される光を回折格子を用いて回折させて、メインビームと、前記メインビームを中心とする対角方向に位置する２つのサブビームを生成し、対物レンズにより前記メインビームと前記サブビームとをＤＶＤ上のトラックに集光させて、前記ＤＶＤからの情報を読み取る光ピックアップのサブビーム位置調整方法であって、
前記ＤＶＤのトラックピッチと比べてトラックピッチが大きい第１領域を持つ調整用ディスクに前記メインビームと、前記サブビームとを照射し、前記メインビームにおける前記第１領域からの再生光を第１受光部で受光して得た出力信号と、いずれかの前記サブビームにおける前記第１領域からの再生光を第２受光部で受光して得た出力信号と、を取得する第１の受光ステップと、
前記第１受光部からの出力信号と、前記第２受光部からの出力信号との位相差の変動をもとに、前記回折格子の位置を調整する第１の調整ステップと、を有することを特徴とする光ピックアップのサブビーム位置調整方法。
【請求項２】
前記第１領域のトラックピッチは、前記ＤＶＤのトラックピッチと比べて約２倍の大きさである、ことを特徴とする請求項１に記載の光ピックアップのサブビーム位置調整方法。
【請求項３】
前記第１の調整ステップでは、前記第１受光部からの出力信号と、前記第２受光部からの出力信号との位相差が９０度となるよう、前記回折格子の位置を調整する、ことを特徴とする請求項１または請求項２のいずれかに記載の、光ピックアップのサブビーム位置調整方法。
【請求項４】
前記調整用ディスクは、前記ＤＶＤのトラックピッチと同じトラックピッチを有する第２領域を有し、
前記第２領域に前記メインビームと前記サブビームとを照射し、前記メインビームにおける前記第２領域からの再生光を前記第１受光部で受光して得た出力信号と、前記サブビームにおける前記第２領域からの再生光とを前記第２受光部で受光して得た出力信号と、を取得する第２の受光ステップと、
前記第１受光部からの出力信号と、前記第２受光部からの出力信号との位相差の変動をもとに、前記回折格子の位置を調整する第２の調整ステップと、を有することを特徴とする請求項１から請求項３のいずれか一項に記載の光ピックアップのサブビーム位置調整方法。
【発明の詳細な説明】
【技術分野】
【０００１】
本発明は、光源から照射された光を、回折格子を用いてメインビームとサブビームとを生成する光ピックアップのサブビーム位置調整方法に関する。
【背景技術】
【０００２】
従来、ＤＶＤ（Digital Versatile Disk）等の光ディスクに光源からの光を照射して情報を読み取る光ピックアップ装置が知られている。光ピックアップ装置では、光源からの光を対物レンズを通して光ディスクに集光させ、この光ディスクからの反射光（再生光）を受光部で受光することで、記録された情報を読み取る。また、光ディスクには、渦巻き状にトラックが形成されており、光ピックアップ装置は、光の集光する位置（以下、スポットとも記載する。）がトラックに追従するよう、トラッキング制御を行う。
【０００３】
光ピックアップ装置のトラッキング制御の方法として、メインビームと、サブビーム（第１サブビーム、第２サブビーム）とを用いる３レーザービーム法が知られている。図９は、従来例である、３レーザービーム法を説明する図である。図９（ａ）に示すよう、真ん中にメインビームＭＢを配置し、その両側に２つのサブビームＳＢを配置する。ここで、第１サブビームＳＢ１は、光ディスクに対する光ヘッドの走査方向に沿ってメインビームＭＢよりも先行する位置に収束する。また、第２サブビームＳＢ２は、光ディスクに対する光ヘッドの走査方向に沿ってメインビームＭよりも後行する位置に収束する。
図９の（ａ）では、メインビームＭＢがトラックＴの真上にあり、もっとも好ましい状態を示している。この状態でサブビームＳＢ１、ＳＢ２がともにわずかに隣接するトラックＴにかかっている程度で、あとのスポットの領域はピットのないいわゆるミラー面にあり、この部分の光は光ディスクで反射されて受光部（図示せず）に達する。
【０００４】
受光部は再生光を受光すると受光量に応じた出力信号を出力する。図９（ａ）の例では、受光部から出力されるサブビームＳＢ１、ＳＢ２に応じた出力信号は、差動増幅器に出力される。ここで、図９（ａ）では、サブビームＳＢ１を外周側に集光させる場合の各ビームの集光位置を実線で示す。また、サブビームＳＢ１を内周側に集光させる場合の各ビームの集光位置を実線で示す。図９（ａ）では、サブビームＳＢ１、ＳＢ２を受光する受光部の受光量は等しいため、差動増幅器からの信号（サブトラッキングエラー信号）はゼロとなる。
また、これから少しスポットの位置が動くと、差動増幅器からサブビームＳＢ１とサブビームＳＢ２の差分の信号が出力される。つまり、３レーザービーム法により、メインビームＭＢの集光位置が１本のトラックのどちら側にずれているかの情報と、メインビームＭＢのずれ量の情報が得られることになる。
【０００５】
これら、３つのビームを生成するために、従来では、光源からの光を回折格子で回折させて、０次光（回折なし）のメインビームと、プラス１次光の第１サブビームと、マイナス１次光の第２サブビームとを生成している。回折格子により光源からの光をもとに、メインビームと、このメインビームを中心として対角方向に集光する第１サブビームＳＢ１および第２サブビームＳＢ２とを生成する。そのため、回折格子の位置を調整することで、メインビームＭＢと、サブビームＳＢ１、ＳＢ１の集光位置を調整することが可能となる。
【０００６】
回折格子の位置調整は、以下のように行う。まず、トラッキング制御を行うためのサーボをオフした状態で、光ディスクにメインビームとサブビームとを集光させて、受光部から出力信号を出力する。次に、出力された出力信号の波形変化をもとに、回折格子の位置を調整する（例えば、特許文献１参照）。
【０００７】
また、先行する第１サブビームＳＢ１の位置を、光ディスクの内周側に集光させる場合と外周側に集光させる場合がある。図９（ｂ）は、メインビームＭＢを光ディスクに集光させて光ディスクのトラックを横切らせた場合の出力信号の変化を示す。また、図９（ｃ）は、第１サブビームＳＢ１を光ディスクの外周側に集光させてトラックを横切らせた場合の出力信号の変化を示す。また、図９（ｄ）は、第１サブビームＳＢ１を光ディスクの内周側に集光させてトラックを横切らせた場合の出力信号の変化を示す。図９（ｂ）〜（ｄ）に示すように、第１サブビームＳＢ１を内周側に集光させた場合の出力信号と、外周側に集光させた場合の出力信号とは同位相となる。そのため、出力信号の波形変化をもとに、第１サブビームＳＢ１の集光位置を内周側または外周側に調整することはできない。
そのため、従来では、このような第１サブビームＳＢ１の集光位置の調整を行うために作業者が回折格子を回転させつつ調整を行っていた（例えば、特許文献２参照）。
【先行技術文献】
【特許文献】
【０００８】
【特許文献１】特開２００６−１４７０６６号公報
【特許文献２】特開２０１１−１０８３２２号公報
【発明の概要】
【発明が解決しようとする課題】
【０００９】
しかし、従来の調整方法では、調整の指標となるものが存在しないため、後工程に調整不良の製品が流出しやすく、また、調整用に要する作業負荷が高いものとなっていた。
【００１０】
本発明は、上記課題にかんがみてなされたもので、３レーザービーム方式の光ピックアップ装置において、サブビームの位置の調整をより精度よく行え、且つ作業者の作業負荷を低くすることを目的とする。
【課題を解決するための手段】
【００１１】
適用例１
上記課題を解決するために、本発明の一態様では、光源から照射される光を回折格子を用いて回折させて、メインビームと、前記メインビームを中心とする対角方向に位置する２つのサブビームを生成し、対物レンズにより前記メインビームと前記サブビームとをＤＶＤ上のトラックに集光させて、前記ＤＶＤからの情報を読み取る光ピックアップのサブビーム位置調整方法であって、前記ＤＶＤのトラックピッチと比べてトラックピッチが大きい第１領域を持つ調整用ディスクに前記メインビームと、前記サブビームとを照射し、前記メインビームにおける前記第１領域からの再生光を第１受光部で受光して得た出力信号と、いずれかの前記サブビームにおける前記第１領域からの再生光を第２受光部で受光して得た出力信号と、を取得する第１の受光ステップと、前記第１受光部からの出力信号と、前記第２受光部からの出力信号との位相差の変動をもとに、前記回折格子の位置を調整する第１の調整ステップと、を有する。
【００１２】
上記のように構成された発明では、ＤＶＤのトラックピッチと比べてトラックピッチが大きい第１領域からの再生光を第１受光部、第２受光部で受光し、それぞれの受光部から出力される出力信号を得る。そして、第１受光部と第２受光部からの出力信号の位相差をもとに、回折格子を調整する。
そのため、サブビームの集光位置を内周側または外周側にする場合に、位相差をもとに回折格子を動かしてサブビームの位置調整をより精度よく行え、且つ作業者の作業負荷を低くすることができる。
【００１３】
適用例２
本発明の一態様では、前記第１領域のトラックピッチは、前記ＤＶＤのトラックピッチと比べて約２倍の大きさである。
上記のように構成された発明では、ＤＶＤのトラックピッチ（０．７４マイクロメートル）に対して、ＣＤのトラックピッチ（１．６マイクロメートル）を用いることができるため、従来からある製造装置を用いて、第１領域を有する調整用ディスクを製造することができる。
【００１４】
適用例３
本発明の一態様では、前記第１の調整ステップでは、前記第１の再生光を受光した受光部からの出力信号と、前記第２の再生光を受光した受光部からの出力信号との位相差が９０度となるよう、前記回折格子の位置を調整する。
上記のように構成された発明では、サブビームの集光位置がメインビームの集光位置にたいして９０度だけ進む場合にも、本発明を適用することができる。
【００１５】
適用例４
本発明の一態様では、前記調整用ディスクは、前記ＤＶＤのトラックピッチと同じトラックピッチを有する第２領域を有し、前記第２領域に前記メインビームと前記サブビームとを照射し、前記メインビームにおける前記第２領域からの再生光を前記第１受光部で受光して得た出力信号と、前記サブビームにおける前記第２領域からの再生光とを前記第２受光部で受光して得た出力信号と、を取得する第２の受光ステップと、前記第１受光部からの出力信号と、前記第２受光部からの出力信号との位相差の変動をもとに、前記回折格子の位置を調整する第２の調整ステップと、を有する。
上記のように構成された発明では、サブビームの集光位置を調整した後、メインビームとサブビームとの集光位置を調整するため、回折格子の位置をより精度よく調整することができる。
【図面の簡単な説明】
【００１６】
【図１】光ピックアップの調整に用いられる装置の構成を示すブロック図。
【図２】光ピックアップ装置１が備える光学系を示す図。
【図３】ピックアップ３のシャーシに固定される回折格子３１を示す図。
【図４】調整用ディスク５０の構成を示す図。
【図５】回折格子の調整方法を説明するフローチャート。
【図６】スポットの集光位置と、受光部からの出力信号との関係を示す図。
【図７】スポットの集光位置と、受光部からの出力信号との関係を示す図。
【図８】第２の実施形態における回折格子３１の調整方法を示すフローチャート。
【図９】従来例である３レーザービーム法を説明する図。
【発明を実施するための形態】
【００１７】
以下、下記の順序に従って本発明の実施形態を説明する。
１．第１の実施形態：
（１）光ピックアップの調整に用いられる装置の構成
（２）光ピックアップの調整方法
２．第２の実施形態：
３．第３の実施形態：
４．その他の実施形態：
【００１８】
１．第１の実施形態： 
（１）光ピックアップの調整に用いられる装置の構成
図１は、光ピックアップの調整に用いられる装置の構成を示すブロック図である。また、図２は、光ピックアップ装置１が備える光学系を示す図である。この第１の実施形態では、光ピックアップ装置１が備える回折格子を調整するために、調整用治具１０と、調整用ディスク５０とが用いられる。
【００１９】
まずは、光ピックアップ装置１の構成について説明する。
図１に示すように、光ピックアップ装置１は、光ピックアップ３と、受光部４と、信号演算器５と、デジタルサーボプロセッサ６と、トラッキングアクチュエータ７と、フォーカスアクチュエータ８と、を有する。光ピックアップ装置１はメディアとしてＤＶＤ（Digital Versatical Disk）の再生や記録を行うことができる。
【００２０】
また、図２に示すように、光ピックアップ３は、光を照射する半導体レーザ２と、半導体レーザ２から照射された光の光路となる光学部品３０と、を備える。光学部品３０は、回折格子３１、ビームスプリッタ３２、１／４波長板３３、コリメートレンズ３４、反射ミラー３５、対物レンズ３６、シリンドリカルレンズ３７を備える。
【００２１】
半導体レーザ２から出射されたレーザ光は、回折格子３１によってメインビームＭＢとサブビーム（第１サブビームＳＢ１、第２サブビームＳＢ２）とに分けられる。回折格子を３１を経たレーザ光（メインビーム、サブビーム）はビームスプリッタ３２で反射され、１／４波長板３３及びコリメートレンズ３４を透過する。コリメートレンズ３４を透過したレーザ光は、反射ミラー３５によって所定角度に反射され、対物レンズ３６へと至る。
【００２２】
対物レンズ３６は、入射したレーザ光をメディアの情報記録層に集光する。そして、メディアに集光したレーザ光は情報記録層で反射し、再生光と成る。再生光は対物レンズ３６を通過後、反射ミラー３５により反射され、コリメートレンズ３４、１／４波長板３３、ビームスプリッタ３２を順に透過する。そして、ビームスプリッタ３２を透過した再生光は、シリンドリカルレンズ３７により非点収差が与えられ、受光部４に集光される。
【００２３】
受光部４は、受光した再生光を電流に変換して、光ディスクからのデータ読出し用信号、フォーカスエラー検出用の出力信号、及びトラッキングエラー検出用の出力信号を出力する。図１に示すように、受光部４は、メイン検出部（第１受光部）４１と、サブ検出部（サブ検出部）４２、４３とを備える。メイン検出部４１はメインビームＭＢにもとづく再生光が受光する面である。また、サブ検出部４２、４３は第１サブビームＳＢ１と、第２サブビームＳＢ２とのそれぞれにもとづく再生光が受光する面である。
【００２４】
信号演算器５は、受光部４から出力される上記の各出力信号から、トラッキングエラー信号と、フォーカスエラー信号を生成する。このトラッキングエラー信号と、フォーカスエラー信号は、信号演算器５から、デジタルサーボプロセッサ６へ入力される。
【００２５】
デジタルサーボプロセッサ６は、トラッキングエラー信号に応じて、光ピックアップ３が光ディスクのトラックに追従するように、光ピックアップ３を駆動するトラッキングアクチュエータ７を制御する。また、デジタルサーボプロセッサ６は、光ピックアップ３内に設けられた対物レンズ（図２の符号３６）と光ディスクとの間の距離が適正となるように、フォーカスアクチュエータ８を制御する。
【００２６】
次に、回折格子３１について説明する。
図３は、光ピックアップ３のシャーシに固定される回折格子３１を示す図である。
図３（ａ）に示すように、回折格子３１はＧＲＴホルダ２１を介して、光軸に沿って光ピックアップ３のシャーシ２０に回転可能に位置決めされている。また、ＧＲＴホルダ２１には、ＧＲＴホルダ２１を回転させるための凹溝２２が形成されている。
作業者が回折格子３１を図中の矢印ａ、ｂの向きに回転させる場合、まず、凹溝２２に操作軸２３の先端を挿入する。操作軸２３の先端は偏心軸となっており、凹溝２２と嵌合する。そして、作業者は、操作軸２３を回転させることで、回折格子３１をＧＲＴホルダ２１ごと矢印ａ、ｂの向きに回転する。
【００２７】
そして、図３（ｂ）に示すように、回折格子３１の位置調整が終了すると、凹溝２２に紫外線硬化性接着剤ＵＶを塗布する。そして、紫外線を照射して紫外線硬化性接着剤ＵＶを硬化することで、ＧＲＴホルダ２１をシャーシ２０に固定する。
【００２８】
次に、調整用治具１０について説明する。図１示すように、調整用治具１０は、位相差検出部１１と、コンピュータ装置１２と、を有する。
【００２９】
位相差検出部１１は、受光部４のメイン検出部４１からの出力信号と、サブ検出部４２からの出力信号との位相差を算出し、コンピュータ装置１２に出力する。例えば、位相差検出部１１は、出力信号を所定周期でサンプリングし、位相差を算出する。
位相差検出部１１は、調整用治具１０の一部である以外にも、信号演算器５の一部により実現されてもよい。
【００３０】
コンピュータ装置１２は、調整用治具１０の駆動を統合的に制御する。具体的には、コンピュータ装置１２は、光ピックアップ装置１に調整用ディスク５０を再生させるとともに、位相差検出部１１が算出したメイン検出部４１とサブ検出部４２からの出力信号の位相差を画面に表示する。
【００３１】
次に、調整用ディスク５０について説明を行う。
図４は、調整用ディスク５０の構成を示す図である。調整用ディスク５０は、第１領域５１と、第２領域５２とをそれぞれ異なる情報記録層に形成している。第１領域５１のトラックピッチＰ１は第２領域５２のトラックピッチＰ２と比べて大きくなっている。例えば、第１領域５１のトラックピッチＰ１は、第２領域５２のトラックピッチＰ２の倍となっている。なお、図４では、斜線を付した箇所がトラックである。
【００３２】
第１領域５１には、トラックが調整用ディスク５０の外周から内周に渡って渦巻き状に形成されている。図４（ｂ）に示すように、第１領域５１に形成されるトラックのトラックピッチＰ１は１．６マイクロメートルである。
【００３３】
また、第２領域５２には、トラックが調整用ディスク５０の外周から内周に渡って渦巻き状に形成されている。図４（ｃ）に示すように、第２領域５２に形成されるトラックのトラックピッチＰ２は０．７４マイクロメートル（μｍ）である。第２領域５２のトラックピッチＰ２は、光ピックアップ装置１の記録・再生対象であるＤＶＤのトラックピッチと同じである。
【００３４】
（２）光ピックアップの調整方法
次に、光ピックアップの調整方法を説明する。
図５は、回折格子の調整方法を説明するフローチャートである。また、図６、図７は、スポットの集光位置と、受光部からの出力信号との関係を示す図である。
【００３５】
図５に示す調整方法では、ステップＳ１からステップＳ２までが、本発明の第１の受光ステップである。また、ステップＳ３が本発明の第１の調整ステップである。そして、ステップＳ４からステップＳ５までが、本発明の第２の受光ステップである。さらに、ステップＳ６が本発明の第２の調整ステップである。
【００３６】
ステップＳ１では、コンピュータ装置１２は、光ピックアップ装置１に対して、調整用ディスク５０の第１領域５１をシークさせる。上記のように第１領域５１は、トラックピッチＰ１が１．６μｍとなっている。以下、メインビームにより調整用ディスク５０に集光するスポットをメインスポットＭＳ、第１サブビームにより調整用ディスク５０に集光するスポットをサブスポットＳＳとも記載する。
【００３７】
ステップＳ２では、コンピュータ装置１２は、トラッキングアクチュエータ７をＯＦＦにした状態で、光ピックアップ装置１に調整用ディスク５０の第１領域５１を再生させる。トラッキングサーボをＯＦＦにしているため、対物レンズ３６を通じて集光するメインスポットＭＳとサブスポットＳＰとは、第１領域５１のトラックを追従することなく横切る。そのため、受光部４は、メインスポットＭＳおよびサブスポットＳＳがトラックを横切るときの受光量の変化に応じて振幅が変化する出力信号を位相差検出部１１に出力する。
【００３８】
図６（ａ）は、第１サブビームＳＢ１が調整用ディスク５０の内周側に集光する場合の、受光部４の受光量の変化を示す図である。図６（ａ）に示すように、メインビームＭＢと第１サブビームＳＢ１との調整用ディスク５０における集光位置の違いから、メインビームＭＢと第１サブビームＳＢ１とがトラックＴを横切るタイミングが変化し、メイン検出部４１から出力される出力信号と、サブ検出部４２から出力される出力信号とに位相のズレを生じさせる。
図６（ｂ）に示すように、第１サブビームＳＢ１が調整用ディスク５０の内周側に集光する場合、サブ検出部４２から出力される出力信号は、メイン検出部４１から出力される出力信号に対して、９０度位相が遅れた波形となる。
【００３９】
図７（ａ）は、第１サブビームＳＢ１が調整用ディスク５０の外周側に集光する場合の、受光部４の受光量の変化を示す図である。第１サブビームＳＢ１が調整用ディスク５０の外周側に集光する場合でも、図７（ａ）に示すよう、メインビームＭＢと第１サブビームＳＢ１との調整用ディスク５０における集光位置の違いから、メイン検出部４１から出力される出力信号と、サブ検出部４２から出力される出力信号とに位相のズレを生じさせる。
図７（ｂ）に示すように、第１サブビームＳＢ１が調整用ディスク５０の外周側に集光する場合、サブ検出部４２から出力される出力信号は、メイン検出部４１から出力される出力信号に対して、９０度位相が進んだ波形となる。
【００４０】
そのため、位相差検出部１１は、メイン検出部４１からの出力信号とサブ検出部４２からの出力信号の位相差を数値化し、コンピュータ装置１２に出力する。
【００４１】
ステップＳ３では、作業者は、コンピュータ装置１２の画面に表示される位相差を確認しつつ、回折格子３１を調整する。このステップＳ３においては、第１サブビームＳＢ１が集光する位置（内周側、外周側）が調整される。具体的には、図３（ａ）に示したように、操作軸２３を回転させて回折格子３１をＧＲＴホルダ２１ごと回転させることで、メインビームＭＢの集光位置（スポット）を中心として、サブビームの集光位置（スポット）が変化する。そのため、作業者は、コンピュータ装置１２に表示された位相差を確認しつつ、第１サブビームＳＢ１を集光させる位置に応じて、画面に表示される位相差がプラス９０度またはマイナス９０度となるよう回折格子３１の位置を調整する。
【００４２】
上記のように、第１サブビームＳＢ１の集光位置が調整されると、次は、光ピックアップ装置１の再生・記録対象であるＤＶＤのトラックピッチＰ２を用いてメインビームＭＢとサブビームＳＢ１、ＳＢ２の集光位置の関係を調整する。
そのため、ステップＳ４では、コンピュータ装置１２は、光ピックアップ装置１に対して、第２領域５２をシークさせる。上記のように第２領域５２は、トラックピッチＰ２が０．７４μｍであり、光ピックアップ装置１が再生対象とするＤＶＤのトラックピッチＰ２である。
【００４３】
ステップＳ５では、トラッキングサーボをＯＦＦにした状態で、調整用ディスク５０の第２領域５２を再生する。トラッキングサーボをＯＦＦにしているため、メインビームＭＢとサブビームＳＢとは、調整用ディスク５０のトラックを追従することなく横切る。そのため、受光部４は、メインスポットＭＳおよびサブスポットＳＳがトラックを横切るときの受光量の変化に応じて振幅が変化する検出信号を位相差検出部１１に出力する。
【００４４】
ステップＳ６では、作業者は、コンピュータ装置１２の画面に表示される、位相差を確認しつつ、図３（ａ）に示したように、回折格子３１を調整する。このステップＳ６では、メイン検出部４１から出力される出力信号と、サブ検出部４２から出力される出力信号の位相差が１８０度となるよう、回折格子３１の調整が行われる。
【００４５】
以下、回折格子３１の調整が完了すると、回折格子３１が固定されたＧＲＴホルダ２１をシャーシ２０に固定する。即ち、図３（ｂ）で示したように、ＧＲＴホルダ２１を紫外線硬化性接着剤ＵＶでシャーシ２０に固定する。
【００４６】
以上説明したように、この第１の実施形態では、第１サブビームＳＢ１の位置（内周側、外周側）を調整するために回折格子３１の位置を調整する際、位相差をもとに調整を行うことができるため、サブビームの位置の調整をより精度よく行え、且つ作業者の作業負荷を低くすることができる。
【００４７】
２．第２の実施形態：
図８は、第２の実施形態における回折格子３１の調整方法を示すフローチャートである。図８に示すフローチャートにおいても、回折格子３１の調整が行われる。
【００４８】
ステップＳ１１では、コンピュータ装置１２は、光ピックアップ装置１に対して、調整用ディスク５０の第１領域５１をシークさせる。第１の実施形態同様、第１領域５１は、トラックピッチＰ１が１．６μｍとなっている。
【００４９】
ステップＳ１２では、コンピュータ装置１２は、トラッキングアクチュエータ７をＯＦＦにした状態で、光ピックアップ装置１に調整用ディスク５０の第１領域５１を再生させる。
【００５０】
ステップＳ１３では、作業者は、コンピュータ装置１２の画面に表示される、位相差を確認しつつ、回折格子３１を調整する。ステップＳ１３では、第１サブビームＳＢ１の調整用ディスク５０上での集光位置（内周側、外周側）が調整される。
【００５１】
ステップＳ１４では、光ピックアップ装置１に対して、第２領域５２をシークさせる。第２の実施形態においても、第２領域５２は、トラックピッチＰ２が０．７４μｍであり、ＤＶＤのトラックピッチと同様である。
【００５２】
ステップＳ１５では、トラッキングサーボをＯＦＦにした状態で、調整用ディスク５０の第２領域５２を再生する。コンピュータ装置１２には、メイン検出部４１からの出力信号とサブ検出部４２からの出力信号の位相差が表示される。
【００５３】
ステップＳ１６では、作業者は、コンピュータ装置１２の画面に表示される、位相差を確認しつつ、回折格子３１を調整する。即ち、メイン検出部４１からの出力信号とサブ検出部４２からの出力信号との位相差が１８０度となるよう、回折格子３１を調整する。このステップＳ１６では、ＤＶＤのトラックピッチをもとに回折格子３１の調整が行われる。
【００５４】
ステップＳ１７において、調整結果がＮＧであれば（ステップＳ１７：ＮＯ）、ステップＳ１１に戻る。即ち、第１サブビームＳＢ１の位置を調整するための回折格子３１の調整を再度実行する（ステップＳ１１−Ｓ１６）。
【００５５】
以下、ステップＳ１７で、調整結果がＯＫであれば（ステップＳ１７：ＹＥＳ）、回折格子３１の調整を終了する。
そして、回折格子３１の位置の調整が終了すると、図３（ｂ）で示したように、ＧＲＴホルダ２１をシャーシ２０に固定する。
【００５６】
以上説明したように、この第２の実施形態では、調整結果がＮＧであれば、さらに、回折格子３１を微調整するため、サブビームの位置を精度良く調整することができる。
【００５７】
３．第３の実施形態：
また、回折格子３１の位置を調整するために光ピックアップ装置１に再生させるトラックピッチの数は２つのものに限定されない。第１サブビームＳＢ１の集光位置の調整を対象する回折格子の調整において、１．６マイクロメートルのトラックピッチを中心に、プラス側とマイナス側にトラックピッチを変化させた、３つのトラックピッチを用いて、回折格子３１の位置を調整するものであってもよい。
【００５８】
即ち、まず、調整用治具１０で、調整用ディスク５０の１．４マイクロメートルのトラックピッチを用いて、メイン検出部４１からの出力信号と、サブ検出部４２からの出力信号との位相差が所望のものとなるよう回折格子３１を調整する。次に、調整用治具１０で、調整用ディスク５０の１．８マイクロメートルのトラックピッチを用いて、メイン検出部４１からの出力信号と、サブ検出部４２からの出力信号との位相差が所望のものとなるよう回折格子３１を調整する。最後に、調整用治具１０で、調整用ディスク５０の１．６マイクロメートルのトラックピッチを用いて、メイン検出部４１からの出力信号と、サブ検出部４２からの出力信号との位相差が所望のものとなるよう回折格子３１を調整する。
【００５９】
以上説明したように、この第３の実施形態では、複数のトラックピッチを用いて、回折格子３１の位置を調整するため、第１サブビームＳＢ１の集光位置をより精度良く合わせこむことができる。
【００６０】
４．その他の実施形態：
また、回折格子３１の調整は、第１領域５１のトラックピッチを用いた調整のみを行うものであってもよい。
上記構成とすることで、調整に要する時間を短縮することができる。
【００６１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６２】
１…光ピックアップ装置、２…半導体レーザ、３…光ピックアップ、４…受光部、５…信号演算器、６…デジタルサーボプロセッサ、７…トラッキングアクチュエータ、８…フォーカスアクチュエータ、１０…調整用治具、１１…位相差検出部、１２…コンピュータ装置、２０…シャーシ、２１…ＧＲＴホルダ、２２…凹溝、２３…操作軸、３０…光学部品、３１…回折格子、３２…ビームスプリッタ、３３…１／４波長板、３４…コリメートレンズ、３５…反射ミラー、３６…対物レンズ、３７…シリンドリカルレンズ、４１…メイン検出部、４２、４３…サブ検出部、５０…調整用ディスク、５１…第１領域、５２…第２領域
【図１】
2015144029.tif 000003
【図２】
2015144029.tif 000004
【図３】
2015144029.tif 000005
【図４】
2015144029.tif 000006
【図５】
2015144029.tif 000007
【図６】
2015144029.tif 000008
【図７】
2015144029.tif 000009
【図８】
2015144029.tif 000010
【図９】
2015144029.tif 000011